(57)【要約】【課題】配布後すぐ捨てられることなく長い期間、宣伝広告をすることができる販促部材を提供する。【解決手段】単一の厚紙で構成され、店舗や路上で配布される販促部材１であって、広告を表示する円形状の本体部２と、本体部２の外側に配置された複数のクーポン部３と、本体部２の周縁に近接して配置された円形状の指掛部４と、が互いに分離可能に形成されている。【選択図】図１
0003152822.tif 000002
【実用新案登録請求の範囲】
【請求項１】
単一の厚紙で構成され、店舗や路上で配布される販促部材であって、
広告を表示する円形状の本体部と、前記本体部の外側に配置された複数のクーポン部と、前記本体部の周縁に近接して配置された円形状の指掛部と、が互いに分離可能に形成されていることを特徴とする販促部材。
【請求項２】
前記販促部材は、全体として略矩形状に形成されている請求項１に記載の販促部材。
【請求項３】
前記クーポン部は、前記本体部の左右両端にのみ配置されている請求項２に記載の販促部材。
【請求項４】
前記販促部材は、全体として略円形状に形成されている請求項１に記載の販促部材。
【請求項５】
前記クーポン部は、前記本体部の外周全体に配置されている請求項４に記載の販促部材。
【請求項６】
前記本体部とクーポン部と指掛部とは、厚紙上にミシン目が入れられることにより分離可能に形成されている請求項１に記載の販促部材。
【請求項７】
前記指掛部は、スクラッチカードとして機能する請求項１〜６の何れかに記載の販促部材。
【考案の詳細な説明】
【技術分野】
【０００１】
本考案は、店舗や路上で配布される販促部材に関し、特に割引券や無料券などのクーポン券を備えた販促部材に関する。
【背景技術】
【０００２】
従来、販売促進活動の一環として、クーポン券を店舗や路上で配布することが行われてきた。このクーポン券は、クーポン券を配布する店の広告とそこで販売される商品の割引券や優待券であったり、無料券であり店舗に人を呼び込む効果がある。
【考案の概要】
【考案が解決しようとする課題】
【０００３】
しかしながら、従来のクーポン券は、自分に興味の無い商品についてのものであった場合、配布してもすぐに捨てられることが多く、人を呼び込む効果が限定的であった。
【０００４】
本考案は、上記の問題点に着目してなされたものであって、配布後すぐ捨てられることなく長い期間、宣伝広告をすることができる販促部材を提供することを目的とする。
【課題を解決するための手段】
【０００５】
上記課題を解決するため、本考案は、単一の厚紙で構成され、店舗や路上で配布される販促部材であって、広告を表示する円形状の本体部と、前記本体部の外側に配置された複数のクーポン部と、前記本体部の周縁に近接して配置された円形状の指掛部と、が互いに分離可能に形成されている。
【０００６】
本考案は、単一の厚紙を用いて、半完成状態の団扇状に構成されているので、断ボール箱などに積み重ねてコンパクトに収納することができ、配布地域までの運搬が極めて簡単である。また、本考案は、単一の厚紙で構成されているので、広告などの印刷が簡単であり、しかも、本体部とクーポン部と指掛部との境界部に、ミシン目などを設けるだけで完成できるので、製造コストを大幅に抑制することができる。
【０００７】
そのため、限られた広告予算を、割引サービスや無料サービスに振り分けることができ、より充実したサービスによって、販促効果を大幅に高めることができる。また、本考案の販促部材を受け取った者も、本体部と、クーポン部と、指掛部とを適宜に分離するだけで足り、煩雑な作業を要しないので、従来の販促部材のように、直ちに廃棄されてしまう可能性も低い。
【０００８】
ここで、本考案の販促部材は、全体として略矩形状に形成されているか、略円形状に形成されているのが好ましい。前者の場合には、クーポン部は、本体部の左右両端にのみ配置されているのが一般的であり、後者の場合には、クーポン部が、本体部の外周全体に配置されるのが効果的である。
【０００９】
本体部とクーポン部と指掛部は、典型的には、厚紙上にミシン目が入れられることにより分離可能に形成されている。
【００１０】
また、指掛部は、スクラッチカードとして機能させるのが好ましく、この場合には、景品やサービスの提供の有無が、隠蔽状態で印刷されている。
【考案の効果】
【００１１】
上記した本考案によれば、配布後すぐ捨てられることなく長い期間、宣伝広告をすることができるとともに、簡易に製造することができ、製造コストも抑えた販促部材を実現できる。
【図面の簡単な説明】
【００１２】
【図１】第一実施例の販促部材１を示す正面図である。
【図２】第二実施例の販促部材１１を示す正面図である。
【図３】第三実施例の販促部材２１を示す正面図である。
【考案を実施するための形態】
【００１３】
以下、実施例に基づいて本考案を詳細に説明する。図１は、第一実施例の販促部材１を示す正面図である。この販促部材１は、店舗や路上で配布される矩形状の厚紙であって、中央に配置され広告主の広告を表示する団扇本体部２と、矩形状厚紙の左右（長手方向）両端部に配置されたクーポン部３とが分離可能に形成されている。
【００１４】
円形状に形成された団扇本体部２は、販促部材１の上下両端付近まで占有しており、表面又は表裏面に広告が表示されている。図１に示すように、団扇本体部２は、クーポン部３とぶつからない程度の大きさに形成されている。また、団扇本体部２は、その下部付近に円形状の指掛部４が形成されている。この指掛部４は、団扇としての使用時に、くり抜かれて親指が挿入されるため、人の親指が入る程度の大きさに形成されている。
【００１５】
販促部材１の左右両端に配置されたクーポン部３は、合計１０個の矩形状に形成されたクーポン３ａ〜３ｊで構成され、クーポン３ａ〜３ｅが左端にクーポン３ｆ〜３ｊが右端に、それぞれ幅方向に一列に配置されている。図１に示すように、クーポン３ａは販促部材１の左上隅角に、クーポン３ｅは左下隅角に配置されており、クーポン３ｂ〜３ｄは、クーポン３ａと３ｅの間に連接して配置されている。右端に配置されるクーポン３ｆ〜３ｊも同様に販促部材１の上端から下端にかけて連接して配置されている。
【００１６】
各クーポン３ａ〜３ｊは、同程度の大きさに形成されており、その表面又は表裏面に広告主のクーポンの内容が描かれている。具体的には、この実施例では、団扇本体部２に表示される居酒屋ＸＸＸのクーポンとして、生ビール中ジョッキ無料券・カクテル無料券・シャキシャキサラダ５０円引券・お刺身の盛り合わせ１００円引券等が描かれている。
【００１７】
また、この指掛部４は、スクラッチカードとして機能しており、例えば、広告主の商品やサービスに関連して、当り・ハズレの当否結果が隠蔽状態で印刷されている。したがって、指掛部４を販促部材１からくり抜いた後、隠蔽層を剥がすことで、当否結果を知ることができ、もし、当選状態であれば、指掛部４と交換に景品などを得ることができる。
【００１８】
これら団扇本体部２とクーポン部３（クーポン３ａ〜３ｊ）及び指掛部４は、輪郭に沿ってミシン目が形成されており、販促部材１から分離可能に形成されている。この様に分離可能に一体として形成されているので、配布された販促部材１は、店舗でクーポン部３が切り取られて使用されるとともに、団扇本体部２を切り取り、団扇として使用することができる。
【００１９】
すなわち、単にクーポン券のみだと配布しても手に取ってもらえず、必要ない場合、すぐに捨てられてしまうことがあるが、本考案は、販促部材１に団扇本体部２が形成されているので、手に取ってもらえる機会が多くなる。また、団扇本体部２を切り離した後、残りをすぐに捨てることはもったいないとして、クーポンを利用してもらうことができる。また、クーポン部３は、厚紙で形成されているので、かばんの中で折れ曲がったり、破れたりすることが少なくなり、クーポンとして長期間利用することができる。
【００２０】
なお、販促部材１の裏面は、団扇本体部２は広告主の広告が、クーポン部３はクーポンの内容が描かれていてもよいし、裏面全体に一つの広告、又は風景が描かれていてもよい。また、クーポン３ａ〜３ｊは同一商品の無料券又は割引券であってもよいし、複数種類の商品の無料券又は割引券がそれぞれクーポン３ａ〜３ｊに描かれているものであってもよい。また、本実施例の場合、団扇本体部２を切り取らず、指掛部４をくり抜いて四角形の団扇として使用してもよい。この場合には、必要に応じて各クーポン３ａ〜３ｊを販促部材１から切り離して使用される。
【００２１】
次に、図２は第二実施例の販促部材１１を示す正面図である。この販促部材１１は、店舗や路上で配布される円盤状の厚紙であって、中央に配置され広告主の広告を表示する団扇本体部１２と、団扇本体部１２の外周に配置されたクーポン部１３とが分離可能に一体として円盤形状に形成されている。
【００２２】
団扇本体部１２は、第一実施例の団扇本体部２と同様に円形状に形成され、その下端やや中央よりに指掛部１４が形成されている。クーポン部１３は、団扇本体部１２の外周から複数のクーポン１３ａ〜１３ｌが放射状に配置されて構成されており、クーポン部１３の外周は販促部材１１の外周となるように形成されている。また、第一実施例と同様に、団扇本体部１２とクーポン部１３（クーポン１３ａ〜１３ｌ）及び指掛部１４は、輪郭に沿ってミシン目が形成されており、それぞれ分離可能に形成されている。
【００２３】
この販促部材１１は、団扇本体部１２とクーポン部１３が一体となって円盤状に形成されているので、指掛部１４をくり抜いてクーポン部１３を分離せずそのまま指を掛け団扇として使用することができる。また、クーポン部１３を使用した後も、団扇本体部１２によって、団扇として使用することができる。
【００２４】
次に、図３は第三実施例の販促部材２１を示す図である。この販促部材２１は、店舗や路上で配布される矩形状の厚紙であって、中央に配置され広告主の広告を表示する団扇本体部２２と、矩形状厚紙の外周に配置された複数のクーポン部２３とが分離可能に一体に形成されている。
【００２５】
団扇本体部２２は、第一実施例と同様に円形状に形成され、その下端側には、指掛部２４が形成されている。クーポン部２３は、販促部材２１の外周に沿って配置された計２０個の矩形状のクーポン２３ａ〜２３ｔで構成されている。なお、団扇本体部２２は、その上下左右端がクーポン部２３とぶつからない程度の大きさに形成されている。
【００２６】
以上の説明した第一実施例〜第三実施例の販促部材は、何れも、一枚の厚紙に広告とクーポンとを印刷した後、指掛け部と、丸団扇状の本体部と、クーポン部と、を区分する境界線にミシン目を形成するだけで完成することができる。すなわち、団扇を完成させるために、接着作業や組立作業が全く不要であるので、販促部材を受け取った後、一般人でも、極めて簡単に団扇を完成させることができる。
【００２７】
この点、通常の団扇の形状の場合には、本体部より厚手の取手と、本体部とを接続する必要のため、予め団扇として完成させた後に、配布する必要があり、製造コストが格段に増加する。
【００２８】
以上、本考案の実施例を具体的に説明したが、具体的な記載内容は何ら本考案を限定するものではなく、各種の改変が可能である。例えば、本体部は、必ずしも円形である必要はなく、楕円やこれに類する形状であっても良いのは勿論である。また、クーポン部についての全てを同一形状にする必要は全く無い。また、実施例の指掛部４は、スクラッチカードとして使用しているが、特に限定されるものではなく、例えば、クーポン（優待券、割引券、粗品引換券など）として使用しても良いのは勿論である。
【符号の説明】
【００２９】
１，１１，２１  販促部材
２,１２，２２  本体部
３，１３，２３  クーポン部
【図１】
0003152822.tif 000003
【図２】
0003152822.tif 000004
【図３】
0003152822.tif 000005